(57)【要約】【課題】表示されたウェブコンテンツに含まれる、アクセスするタイミングによって変更される広告等の他のウェブコンテンツにおいて、ユーザが視聴した時点の内容を正確に取得可能とする。【解決手段】端末装置１０は、第２のウェブコンテンツに対応する第２のＵＲＬと第２のＵＲＬを取得するために実行されるタグとが含まれる第１のウェブコンテンツをウェブサーバ３０から受信し、第２のＵＲＬに対応する第２のウェブコンテンツをウェブサーバ４０から受信し、第１のウェブコンテンツ及び第２のウェブコンテンツを表示し、タグを実行して第２のＵＲＬを取得し、第２のＵＲＬを計測サーバ２０に送信する。計測サーバ２０は、端末装置１０によって送信される第２のＵＲＬを受信し、第２のＵＲＬに対応する第２のウェブコンテンツをウェブサーバ４０から受信する。【選択図】図１
2011090629.tif 000002
【特許請求の範囲】
【請求項１】
第１のウェブサーバから受信する第１のＵＲＬに対応する第１のウェブコンテンツを表示する端末装置と、前記第１のウェブコンテンツに対応する第１の表示に含まれる第２の表示に対応する第２のウェブコンテンツの第２のＵＲＬを前記端末装置から受信し、前記第２のＵＲＬに対応する前記第２のウェブコンテンツを第２のウェブサーバから受信する計測サーバを有する通信システムであって、
前記端末装置は、
前記第２のＵＲＬと、前記第２のＵＲＬを取得し、前記計測サーバに送信するために実行されるタグとが含まれる前記第１のウェブコンテンツを前記第１のウェブサーバから受信する第１の端末受信処理部と、
前記第２のＵＲＬに対応する前記第２のウェブコンテンツを前記第２のウェブサーバから受信する第２の端末受信処理部と、
前記第１の端末受信処理部によって受信される前記第１のウェブコンテンツを表示する第１の端末表示処理部と
前記第２の端末受信処理部によって受信される前記第２のウェブコンテンツを表示する第２の端末表示処理部と、
前記タグを実行し、前記第２の端末表示処理部によって表示される前記第２のウェブコンテンツの前記第２のＵＲＬを取得し、前記第２のＵＲＬを前記計測サーバに送信する端末送信処理部とを具備し、
前記計測サーバは、
前記端末装置の前記端末送信処理部によって送信される、前記第２のウェブコンテンツの前記第２のＵＲＬを受信する第１のサーバ受信処理部と、
前記第２のＵＲＬに対応する前記第２のウェブコンテンツを前記第２のウェブサーバから受信する第２のサーバ受信処理部とを具備することを特徴とする通信システム。
【請求項２】
第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置であって、
前記第２のＵＲＬと、前記第２のＵＲＬを取得し、前記計測サーバに送信するために実行されるタグとが含まれる前記第１のウェブコンテンツを前記第１のウェブサーバから受信する第１の端末受信処理部と、
前記第２のＵＲＬに対応する前記第２のウェブコンテンツを前記第２のウェブサーバから受信する第２の端末受信処理部と、
前記第１の端末受信処理部によって受信される前記第１のウェブコンテンツを表示する第１の端末表示処理部と、
前記第２の端末受信処理部によって受信される前記第２のウェブコンテンツを表示する第２の端末表示処理部と、
前記タグを実行し、前記第２の端末表示処理部によって表示される前記第２のウェブコンテンツの前記第２のＵＲＬを取得し、前記第２のＵＲＬを前記計測サーバに送信する端末送信処理部とを具備することを特徴とする端末装置。
【請求項３】
前記第２のウェブコンテンツは、前記第１のウェブコンテンツの内容に対応する広告である請求項２に記載の端末装置。
【請求項４】
前記端末送信処理部は、
ｈｔｍｌによって記載される前記第１のウェブコンテンツにおいて、ｉｆｒａｍｅタグによって特定される前記第２のウェブコンテンツの前記第２のＵＲＬを取得し、
前記第１のウェブコンテンツのｂｏｄｙタグ内にｉｍｇタグを記載し、
前記ｉｍｇタグのｓｒｃ属性に前記計測サーバによって保持される透明画像のＵＲＬを設定し、
前記ｓｒｃ属性のＵＲＬパラメータに前記第２のＵＲＬを設定し、
前記計測サーバに前記透明画像を要求する請求項２又は３に記載の端末装置。
【請求項５】
前記第２のウェブコンテンツは、前記第１のウェブサーバから前記第１のウェブコンテンツが受信されるタイミングによって変化する請求項２、３又は４に記載の端末装置。
【請求項６】
前記端末送信処理部は、
前記タグを実行し、前記第１の端末表示処理部によって表示される前記第１のウェブコンテンツの前記第１のＵＲＬを取得し、前記第１のＵＲＬを前記計測サーバに送信する請求項２、３、４又は５に記載の端末装置。
【請求項７】
第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバであって、
前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信する第１のサーバ受信処理部と、
前記第１のサーバ受信処理部によって受信される前記第２のＵＲＬに対応する前記第２のウェブコンテンツを前記第２のウェブサーバから受信する第２のサーバ受信処理部とを具備することを特徴とする計測サーバ。
【請求項８】
前記第１のサーバ受信処理部は、
前記端末装置から送信される、透明画像の要求に含まれるＵＲＬパラメータを前記第２のＵＲＬとして取得する請求項７に記載の計測サーバ。
【請求項９】
第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置における通信方法であって、
前記第２のＵＲＬと、前記第２のＵＲＬを取得し、前記計測サーバに送信するために実行されるタグとが含まれる前記第１のウェブコンテンツを前記第１のウェブサーバから受信するステップと、
前記第２のＵＲＬに対応する前記第２のウェブコンテンツを前記第２のウェブサーバから受信するステップと、
受信される前記第１のウェブコンテンツを表示するステップと、
受信される前記第２のウェブコンテンツとを表示するステップと、
前記タグを実行し、表示される前記第２のウェブコンテンツの前記第２のＵＲＬを取得し、前記第２のＵＲＬを前記計測サーバに送信するステップとを具備することを特徴とする通信方法。
【請求項１０】
第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバにおける通信方法であって、
前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信するステップと、
受信される前記第２のＵＲＬに対応する前記第２のウェブコンテンツを前記第２のウェブサーバから受信するステップとを具備することを特徴とする通信方法。
【発明の詳細な説明】
【技術分野】
【０００１】
本発明は、端末装置において、１のウェブコンテンツの１の表示に含まれる他の表示に対応する他のウェブコンテンツのＵＲＬを取得し、前記ＵＲＬによって前記他のウェブコンテンツを取得するための通信システム、端末装置、計測サーバ、端末装置における通信方法及び計測サーバにおける通信方法に関する。
【背景技術】
【０００２】
近年、企業のみならず、個人又はグループによってもウェブサイトの運営が数多く行われている。
【０００３】
ウェブサイトにおけるウェブコンテンツの視聴を希望するユーザは、ウェブサイトにおける各ウェブコンテンツを特定するＵＲＬにアクセスする。
【０００４】
そこで、ユーザがアクセスしたＵＲＬを監視することにより、特定のウェブコンテンツへのアクセス履歴を作成し、その視聴回数及び視聴率を第三者が外部から正確に測定することができる技術が発明されている。（例えば、特許文献１参照）
【先行技術文献】
【特許文献】
【０００５】
【特許文献１】特開２００２−２０７６６２号公報
【発明の概要】
【発明が解決しようとする課題】
【０００６】
上述した技術ではウェブコンテンツのＵＲＬが用いられているため、頻繁に更新されないウェブコンテンツであれば、そのＵＲＬにアクセスすることにより、ユーザが視聴したウェブコンテンツと同一の内容を取得することが可能である。
【０００７】
ところで、今やウェブサイトのウェブコンテンツには多数の広告が掲載される傾向にある。例えば、ウェブコンテンツの内容に関連した広告を掲載するコンテンツ連動型広告などがある。
【０００８】
これらの広告は、同一のＵＲＬにアクセスした場合であっても、アクセスするのタイミングによって掲載されている広告が異なる場合が多い。そのためユーザがウェブコンテンツを視聴した時点で、どのような広告が掲載されていたかを後ほど把握することは極めて困難である。
【０００９】
上記問題点に鑑み、本発明は、表示されたウェブコンテンツに含まれる、アクセスするタイミングによって変更される広告等の他のウェブコンテンツにおいて、ユーザが視聴した時点の内容を正確に取得することが可能な通信システム、端末装置、計測サーバ、端末装置における通信方法及び計測サーバにおける通信方法を提供することを目的とする。
【課題を解決するための手段】
【００１０】
上述した課題を解決するために、本発明は以下のような特徴を有している。
【００１１】
本発明の特徴は、第１のウェブサーバ（ウェブサーバ３０）から受信する第１のＵＲＬに対応する第１のウェブコンテンツを表示する端末装置（端末装置１０）と、前記第１のウェブコンテンツに対応する第１の表示に含まれる第２の表示に対応する第２のウェブコンテンツの第２のＵＲＬを前記端末装置から受信し、前記第２のＵＲＬに対応する前記第２のウェブコンテンツを第２のウェブサーバ（ウェブサーバ４０）から受信する計測サーバ（計測サーバ２０）を有する通信システムであって、前記端末装置は、前記第２のＵＲＬと、前記第２のＵＲＬを取得し、前記計測サーバに送信するために実行されるタグとが含まれる前記第１のウェブコンテンツを前記第１のウェブサーバから受信する第１の端末受信処理部（端末受信処理部１１２）と、前記第２のＵＲＬに対応する前記第２のウェブコンテンツを前記第２のウェブサーバから受信する第２の端末受信処理部（端末受信処理部１１２）と、前記第１の端末受信処理部によって受信される前記第１のウェブコンテンツを表示する第１の端末表示処理部（端末表示処理部１１４）と前記第２の端末受信処理部によって受信される前記第２のウェブコンテンツを表示する第２の端末表示処理部（端末表示処理部１１４）と前記タグを実行し、前記第２の端末表示処理部によって表示される前記第２のウェブコンテンツの前記第２のＵＲＬを取得し、前記第２のＵＲＬを前記計測サーバに送信する端末送信処理部（端末送信処理部１１６）とを具備し、前記計測サーバは、前記端末装置の前記端末送信処理部によって送信される、前記第２のウェブコンテンツの前記第２のＵＲＬを受信する第１のサーバ受信処理部（第１のサーバ受信処理部２１２）と、前記第２のＵＲＬに対応する前記第２のウェブコンテンツを前記第２のウェブサーバから受信する第２のサーバ受信処理部（第２のサーバ受信処理部２１４）とを具備することを要旨とする。
【００１２】
このような通信システムによれば、端末装置によって受信された第１のウェブコンテンツに含まれる、第２のウェブコンテンツの第２のＵＲＬを計測サーバに送信するためのタグが、端末装置によって実行されることにより、第２のＵＲＬが計測サーバへ送られ、第２のＵＲＬを受信した計測サーバは、第２のウェブサーバからユーザが視聴した時点の第２のウェブコンテンツの内容を正確に取得することが可能である。
【００１３】
本発明の特徴は、第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置であって、前記第２のＵＲＬと、前記第２のＵＲＬを取得し、前記計測サーバに送信するために実行されるタグとが含まれる前記第１のウェブコンテンツを前記第１のウェブサーバから受信する第１の端末受信処理部と、前記第２のＵＲＬに対応する前記第２のウェブコンテンツを前記第２のウェブサーバから受信する第２の端末受信処理部と、前記第１の端末受信処理部によって受信される前記第１のウェブコンテンツを表示する第１の端末表示処理部と前記第２の端末受信処理部によって受信される前記第２のウェブコンテンツを表示する第２の端末表示処理部と前記タグを実行し、前記第２の端末表示処理部によって表示される前記第２のウェブコンテンツの前記第２のＵＲＬを取得し、前記第２のＵＲＬを前記計測サーバに送信する端末送信処理部とを具備することを要旨とする。
【００１４】
このような端末装置によれば、受信した第１のウェブコンテンツに含まれる、第２のウェブコンテンツの第２のＵＲＬを計測サーバに送信するためのタグが実行されることにより、計測サーバに、ユーザが視聴した時点の第２のウェブコンテンツの第２のＵＲＬを正確に送信することが可能である。
【００１５】
本発明の特徴は、前記第２のウェブコンテンツは、前記第１のウェブコンテンツの内容に対応する広告であることを要旨とする。
【００１６】
本発明の特徴は、前記端末送信処理部は、ｈｔｍｌによって記載される前記第１のウェブコンテンツにおいて、ｉｆｒａｍｅタグによって特定される前記第２のウェブコンテンツの前記第２のＵＲＬを取得し、前記第１のウェブコンテンツのｂｏｄｙタグ内にｉｍｇタグを記載し、前記ｉｍｇタグのｓｒｃ属性に前記計測サーバによって保持される透明画像のＵＲＬを設定し、前記ｓｒｃ属性のＵＲＬパラメータに前記第２のＵＲＬを設定し、前記計測サーバに前記透明画像を要求することを要旨とする。
【００１７】
このような端末装置によれば、計測サーバにユーザが視聴した時点の第２のウェブコンテンツの第２のＵＲＬを正確に送信することが可能である。
【００１８】
本発明の特徴は、前記第２のウェブコンテンツは、前記第１のウェブサーバから前記第１のウェブコンテンツが受信されるタイミングによって変化することを要旨とする。
【００１９】
このような端末装置によれば、第２のウェブコンテンツの内容が、前記第１のウェブサーバから前記第１のウェブコンテンツが受信されるタイミングによって変化しても、計測サーバに、ユーザが視聴した時点の第２のウェブコンテンツの第２のＵＲＬを正確に送信することが可能である。
【００２０】
本発明の特徴は、前記端末送信処理部は、前記タグを実行し、前記第１の端末表示処理部によって表示される前記第１のウェブコンテンツの前記第１のＵＲＬを取得し、前記第１のＵＲＬを前記計測サーバに送信することを要旨とする。
【００２１】
本発明の特徴は、第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバであって、前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信する第１のサーバ受信処理部と、前記第１のサーバ受信処理部によって受信される前記第２のＵＲＬに対応する前記第２のウェブコンテンツを前記第２のウェブサーバから受信する第２のサーバ受信処理部とを具備することを要旨とする。
【００２２】
このような計測サーバによれば、端末装置によって送信される第２のウェブコンテンツの第２のＵＲＬを受信し、第２のウェブサーバからユーザが視聴した時点の第２のウェブコンテンツの内容を正確に取得することが可能である。
【００２３】
本発明の特徴は、前記第１のサーバ受信処理部は、前記端末装置から送信される、透明画像の要求に含まれるＵＲＬパラメータを前記第２のＵＲＬとして取得することを要旨とする。
【００２４】
本発明の特徴は、第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置における通信方法であって、前記第２のＵＲＬと、前記第２のＵＲＬを取得し、前記計測サーバに送信するために実行されるタグとが含まれる前記第１のウェブコンテンツを前記第１のウェブサーバから受信するステップと前記第２のＵＲＬに対応する前記第２のウェブコンテンツを前記第２のウェブサーバから受信するステップと、受信される前記第１のウェブコンテンツを表示するステップと、受信される前記第２のウェブコンテンツとを表示するステップと、前記タグを実行し、表示される前記第２のウェブコンテンツの前記第２のＵＲＬを取得し、前記第２のＵＲＬを前記計測サーバに送信するステップとを具備することを要旨とする。
【００２５】
本発明の特徴は、第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバにおける通信方法であって、前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信するステップと、受信される前記第２のＵＲＬに対応する前記第２のウェブコンテンツを前記第２のウェブサーバから受信するステップとを具備することを要旨とする。
【発明の効果】
【００２６】
本発明によれば、表示されたウェブコンテンツに含まれる、アクセスするタイミングによって変更される広告等の他のウェブコンテンツにおいて、ユーザが視聴した時点の内容を正確に取得することが可能となる。
【図面の簡単な説明】
【００２７】
【図１】本発明の実施形態に係る通信システムの全体概略構成図である。
【図２】本発明の実施形態に係る端末装置の構成図である。
【図３】本発明の実施形態に係る計測サーバの構成図である。
【図４】本発明の実施形態に係る端末装置の動作を示すフローチャートである。
【図５】本発明の実施形態に係る端末装置の動作を示すフローチャートである。
【図６】本発明の実施形態に係る計測サーバの動作を示すフローチャートである。
【発明を実施するための形態】
【００２８】
次に、図面を参照して、本発明の実施形態を説明する。具体的には、（１）通信システムの全体概略構成、（２）端末装置及び計測サーバの構成、（３）端末装置及び計測サーバの動作、（４）作用・効果、（５）その他の実施形態について説明する。以下の実施形態における図面の記載において、同一又は類似の部分には同一又は類似の符号を付している。
【００２９】
（１）通信システムの構成
図１は、本発明の実施形態に係る通信システム１の全体概略構成図である。
【００３０】
図１に示すように、通信システム１は、端末装置１０と、計測サーバ２０と、ウェブサーバ３０と、ウェブサーバ４０と、インターネット５０とを含む。
【００３１】
端末装置１０は、インターネット５０を介して、ウェブサーバ３０に対して、第１のウェブコンテンツのリクエストを送信し、ウェブサーバ３０からの第１のウェブコンテンツを受信する。更に、端末装置１０は、インターネット５０を介して、ウェブサーバ４０に対して、第１のウェブコンテンツに含まれる第２のＵＲＬに対応する第２のウェブコンテンツのリクエストを送信し、ウェブサーバ４０からの第２のウェブコンテンツを受信する。その後、端末装置１０は、第１のウェブコンテンツを表示するとともに、第１のウェブコンテンツ内に第２のウェブコンテンツを表示する。更に、端末装置１０は、インターネット５０を介して、第２のＵＲＬを計測サーバ２０に送信する。
【００３２】
計測サーバ２０は、インターネット５０を介して、端末装置１０から第２のＵＲＬを受信する。更に、計測サーバ２０は、インターネット５０を介して、ウェブサーバ４０に対して、第１のウェブコンテンツに含まれる第２のＵＲＬに対応する第２のウェブコンテンツのリクエストを送信し、ウェブサーバ４０からの第２のウェブコンテンツを受信する。
【００３３】
ウェブサーバ３０は、インターネット５０を介して、端末装置１０からリクエストされる、第２のＵＲＬを含む第１のウェブコンテンツを端末装置１０に送信する。
【００３４】
ウェブサーバ４０は、インターネット５０を介して、端末装置１０及び計測サーバ２０からリクエストされる第２のＵＲＬに対応する第２のウェブコンテンツを端末装置１０及び計測サーバ２０に送信する。
【００３５】
（２）端末装置及び計測サーバの構成
図２は、本発明の実施形態に係る端末装置１０の構成図である。
【００３６】
図２に示す端末装置１０は、ユーザが希望するウェブサイトにおけるウェブコンテンツの視聴に用いられるものである。端末装置１０は、例えばパーソナルコンピュータである。端末装置１０は、制御部１１０、通信部１２０、操作部１３０、モニタ１４０及び記憶部１５０を含む。
【００３７】
制御部１１０は、例えばＣＰＵによって構成され、端末装置１０が具備する各種機能を制御する。
【００３８】
通信部１２０は、計測サーバ２０、ウェブサーバ３０及びウェブサーバ４０との間で、インターネット５０を介した通信を行う。
【００３９】
操作部１３０は、テンキーやファンクションキーなどによって構成され、ユーザの操作内容を入力するために用いられるインタフェースである。また、操作部１３０は、モニタ１４０に表示された文字列などを選択したりするポインティングデバイスであるマウスも含まれる。
【００４０】
モニタ１４０は、制御部１１０を介して受信した画像を表示したり、操作内容を表示したりする。
【００４１】
記憶部１５０は、例えばメモリによって構成され、端末装置１０における制御などに用いられる各種情報を記憶する。
【００４２】
制御部１１０は、端末受信処理部１１２、端末表示処理部１１４及び端末送信処理部１１６を含む。
【００４３】
端末受信処理部１１２は、ウェブサーバ３０から第１のウェブコンテンツを受信する。具体的には、まず、ユーザが、操作部１３０を用いて、視聴を希望する第１のウェブコンテンツの第１のＵＲＬを直接入力する、又は検索ウェブサイトの選択画面より視聴を希望する第１のウェブコンテンツを選択することに応じて、端末受信処理部１１２は、通信部１２０を介してウェブサーバ３０に第１のウェブコンテンツの視聴のリクエストを送信する。ウェブサーバ３０はリクエストされた第１のウェブコンテンツを端末装置１０に送信する。端末受信処理部１１２は、通信部１２０を介して第１のウェブコンテンツと第１のウェブコンテンツに対応する第１の表示に含まれる第２の表示に対応する第２のウェブコンテンツの第２のＵＲＬと、実行可能なタグとを受信する。なお、実行可能なタグについては後述する。
【００４４】
また、端末受信処理部１１２は、ウェブサーバ４０から第２のウェブコンテンツを受信する。具体的には、端末受信処理部１１２は、ウェブサーバ３０から受信した第２のＵＲＬに対応する第２のウェブコンテンツのリクエストを、通信部１２０を介してウェブサーバ４０に送信する。ウェブサーバ４０は、リクエストされた第２のウェブコンテンツを端末装置１０に送信する。端末受信処理部１１２は、通信部１２０を介して第２のウェブコンテンツを受信する。
【００４５】
なお、端末受信処理部１１２は、請求項における第１の端末受信処理部及び第２の端末受信処理部に対応する。
【００４６】
端末表示処理部１１４は、端末受信処理部１１２が受信したウェブコンテンツをモニタ１４０に表示する。
【００４７】
なお、端末表示処理部１１４は、請求項における第１の端末表示処理部及び第２の端末表示処理部に対応する。
【００４８】
端末送信処理部１１６は、ウェブサーバ３０から受信した第１のウェブコンテンツに含まれる実行可能なタグを実行することにより、端末受信処理部１１２によって受信され、端末表示処理部１１４によってモニタ１４０に表示された第２のウェブコンテンツに対応する第２のＵＲＬを取得し、当該第２のＵＲＬを通信部１２０を介して計測サーバ２０に送信する。なお、端末送信処理部１１６は、ウェブサーバ３０から受信した第１のウェブコンテンツに含まれる実行可能なタグを実行することにより、端末受信処理部１１２によって受信され、端末表示処理部１１４によってモニタ１４０に表示された第１のウェブコンテンツに対応する第１のＵＲＬを取得し、当該第１のＵＲＬを第２のＵＲＬと共に、通信部１２０を介して計測サーバ２０に送信してもよい。実行可能なタグとは、具体的には、ｈｔｍｌで記述されるウェブコンテンツに埋め込まれる、ＪａｖａＳｃｒｉｐｔであり、ウェブブラウザなどによって当該ウェブコンテンツが表示される場合や、ユーザがウェブブラウザなどによって表示された画面に対してリンクをクリックするなど何らか操作を行った場合に実行される。なお、本発明の実施形態における実行可能なタグの処理内容については、図５のフローチャートに基づき後述する。
【００４９】
図３は、本発明の実施形態に係る計測サーバ２０の構成図である。
【００５０】
図３に示す計測サーバ２０は、端末装置１０のユーザが視聴する第１のウェブコンテンツに対応する第１の表示に含まれる第２の表示に対応する第２のウェブコンテンツの第２のＵＲＬを、端末装置１０から受信するものである。また、計測サーバ２０は、第２のＵＲＬに対応する第２のウェブコンテンツをウェブサーバ４０から受信するものである。計測サーバ２０は、制御部２１０、通信部２２０、記憶部２３０を含む。
【００５１】
制御部２１０は、例えばＣＰＵによって構成され、計測サーバ２０が具備する各種機能を制御する。
【００５２】
通信部２２０は、端末装置１０及びウェブサーバ４０との間で、インターネットを介した通信を行う。
【００５３】
記憶部２３０は、例えばメモリによって構成され、計測サーバ２０における制御などに用いられる各種情報を記憶する。
【００５４】
制御部２１０は、第１のサーバ受信処理部２１２と第２のサーバ受信処理部２１４とを含む。
【００５５】
第１のサーバ受信処理部２１２は、端末装置１０の端末送信処理部１１６が送信した第２のＵＲＬを、通信部２２０を介して受信する。
【００５６】
第２のサーバ受信処理部２１４は、第２のＵＲＬに対応する第２のウェブコンテンツを、ウェブサーバ４０から通信部２２０を介して受信する。
【００５７】
（３）端末装置及び計測サーバの動作
次に、端末装置１０の動作を説明する。図４及び図５は、端末装置１０の動作を示すフローチャートである。
【００５８】
まず、図４を用いて、端末装置１０の動作について説明する。
【００５９】
ステップＳ１１０において、端末受信処理部１１２は、ユーザが第１のＵＲＬを用いて視聴をリクエストした第１のウェブコンテンツと、第１のウェブコンテンツに対応する第１の表示に含まれる第２の表示に対応する第２のウェブコンテンツの第２のＵＲＬと、第１のウェブコンテンツに含まれるＪａｖａＳｃｒｉｐｔとを、ウェブサーバ３０から通信部１２０を介して受信する。なお、第２のウェブコンテンツは、第１のウェブコンテンツの内容と関連性が高い、コンテンツ連動型広告である。また、当該コンテンツ連動型広告は、第１のウェブコンテンツがウェブサーバ３０から受信されるタイミングによって変化する。
【００６０】
ステップＳ１２０において、端末受信処理部１１２は、ウェブサーバ４０から、第２のＵＲＬに対応する第２のウェブコンテンツを通信部１２０を介して受信する。
【００６１】
ステップＳ１３０において、端末表示処理部１１４は、端末受信処理部１１２が受信した第１のウェブコンテンツをモニタ１４０に表示する。
【００６２】
ステップＳ１４０において、端末表示処理部１１４は、端末受信処理部１１２が受信した第２のウェブコンテンツをモニタ１４０に表示する。
【００６３】
ステップＳ１５０において、端末送信処理部１１６は、ウェブサーバ３０から受信した第１のウェブコンテンツに含まれるＪａｖａＳｃｒｉｐｔを実行することにより、端末受信処理部１１２が受信し、端末表示処理部１１４がモニタ１４０に表示した第２のウェブコンテンツに対応する第２のＵＲＬを、通信部１２０を介して計測サーバ２０に送信する。なお、ステップＳ１５０は、ステップＳ１２０乃至ステップＳ１４０と同時又はステップＳ１２０乃至ステップＳ１４０の前に実行されても良い。
【００６４】
次に図５を用いて、端末装置１０の動作のうち、ステップＳ１５０について詳細に説明する。
【００６５】
ステップＳ１５０１において、端末送信処理部１１６は、端末受信処理部１１２が受信し、端末表示処理部１１４がモニタ１４０に表示した、ｈｔｍｌによって記載される第１のウェブコンテンツにおいて、ｉｆｒａｍｅタグによって特定される第２のウェブコンテンツに対応する第２のＵＲＬを取得する。
【００６６】
ステップＳ１５０３において、端末送信処理部１１６は、第１のウェブコンテンツのｂｏｄｙタグ内にｉｍｇタグを記載する。
【００６７】
ステップＳ１５０５において、端末送信処理部１１６は、ステップＳ１５０３において記載したｉｍｇタグのｓｒｃ属性を計測サーバ２０によって保持される透明画像のＵＲＬに設定する。
【００６８】
ステップＳ１５０７において、端末送信処理部１１６は、ステップＳ１５０５において記載したｉｍｇタグのｓｒｃ属性のＵＲＬパラメータに第２のＵＲＬを設定する。
【００６９】
ステップＳ１５０９において、端末送信処理部１１６は、計測サーバ２０に対して、計測サーバ２０によって保持される透明画像を要求する。
【００７０】
次に、計測サーバ２０の動作を説明する。図６は、計測サーバ２０の動作を示すフローチャートである。
【００７１】
ステップＳ２１０において、第１のサーバ受信処理部２１２は、端末装置１０の端末送信処理部１１６から計測サーバ２０が保持する透明画像の要求を受信する。
【００７２】
ステップＳ２１２において、第１のサーバ受信処理部２１２は、透明画像の要求にＵＲＬパラメータとして含まれる第２のＵＲＬを取得する。
【００７３】
ステップＳ２１４において、第２のサーバ受信処理部２１４は、ウェブサーバ４０から第２のＵＲＬに対応する第２のウェブコンテンツを受信する。
【００７４】
（４）作用・効果
本発明の実施形態において、端末装置１０は、ウェブサーバ３０から受信した第１のウェブコンテンツに含まれるＪａｖａＳｃｒｉｐｔを実行することにより、第１のウェブコンテンツに含まれる、第１のウェブコンテンツに対応する第１の表示に含まれる第２の表示に対応する第２のウェブコンテンツの第２のＵＲＬを計測サーバ２０に送信する。
【００７５】
また、計測サーバ２０は、端末装置１０から受信した第２のＵＲＬに対応する第２のウェブコンテンツをウェブサーバ４０から受信する。
【００７６】
このような端末装置１０及び計測サーバ２０によれば、表示されたウェブコンテンツに含まれる、アクセスするタイミングによって変更される広告等の他のウェブコンテンツにおいて、ユーザが視聴した時点の内容を正確に取得することができる。
【００７７】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７８】
上述した実施形態では、ｈｔｍｌ及びＪａｖａＳｃｒｉｐｔを用いて説明したが、同様の処理が可能な他の言語においても、本発明を適用することができる。
【００７９】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００８０】
本発明の通信システム、端末装置、計測サーバ、端末装置における通信方法及び計測サーバにおける通信方法は、表示されたウェブコンテンツに含まれる、アクセスするタイミングによって変更される広告等の他のウェブコンテンツにおいて、ユーザが視聴した時点の内容を正確に取得することが可能であり、通信システム、端末装置、計測サーバ、端末装置における通信方法及び計測サーバにおける通信方法として有用である。
【符号の説明】
【００８１】
１０…端末装置、２０…計測サーバ、３０…ウェブサーバ、４０…ウェブサーバ、５０…インターネット、１１０…制御部、１１２…端末受信処理部、１１４…端末表示処理部、１１６…端末送信処理部、１２０…通信部、１３０…操作部、１４０…モニタ、１５０…記憶部、２１０…制御部、２１２…第１のサーバ受信処理部、２１４…第２のサーバ受信処理部、２２０…通信部、２３０…記憶部
【図１】
2011090629.tif 000003
【図２】
2011090629.tif 000004
【図３】
2011090629.tif 000005
【図４】
2011090629.tif 000006
【図５】
2011090629.tif 000007
【図６】
2011090629.tif 000008
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
第１のウェブサーバから受信する第１のＵＲＬに対応する第１のウェブコンテンツを表示する端末装置と、前記第１のウェブコンテンツに対応する第１の表示に含まれる第２の表示に対応する第２のウェブコンテンツの第２のＵＲＬを前記端末装置から受信し、前記第２のＵＲＬに対応する前記第２のウェブコンテンツを第２のウェブサーバから受信する計測サーバとを有する通信システムであって、
前記端末装置は、
前記第１のウェブコンテンツを前記第１のウェブサーバから受信する第１の端末受信処理部と、
前記第２のＵＲＬに対応する前記第２のウェブコンテンツを前記第２のウェブサーバから受信する第２の端末受信処理部と、
前記第１の端末受信処理部によって受信される前記第１のウェブコンテンツを表示する第１の端末表示処理部と
前記第２の端末受信処理部によって受信される前記第２のウェブコンテンツを表示する第２の端末表示処理部と、
前記第２のＵＲＬを前記計測サーバに送信する端末送信処理部と、
を具備し、
前記計測サーバは、
前記端末装置の前記端末送信処理部によって送信される、前記第２のウェブコンテンツの前記第２のＵＲＬを受信する第１のサーバ受信処理部と、
前記第２のＵＲＬに対応する前記第２のウェブコンテンツを前記第２のウェブサーバから受信する第２のサーバ受信処理部と、
を具備し、
前記第１のウェブコンテンツには、
前記第２のＵＲＬと、
前記第２のＵＲＬを取得させるとともに、取得した前記第２のＵＲＬを前記計測サーバに送信させる処理を前記端末送信処理部に行わせるタグと
が含まれることを特徴とする通信システム。
【請求項２】
第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置であって、
前記第２のＵＲＬと、前記第２のＵＲＬを取得し、前記計測サーバに送信するために実行されるタグとが含まれる前記第１のウェブコンテンツを前記第１のウェブサーバから受信する第１の端末受信処理部と、
前記第２のＵＲＬに対応する前記第２のウェブコンテンツを前記第２のウェブサーバから受信する第２の端末受信処理部と、
前記第１の端末受信処理部によって受信される前記第１のウェブコンテンツを表示する第１の端末表示処理部と、
前記第２の端末受信処理部によって受信される前記第２のウェブコンテンツを表示する第２の端末表示処理部と、
前記タグを実行し、前記第２の端末表示処理部によって表示される前記第２のウェブコンテンツの前記第２のＵＲＬを取得し、前記第２のＵＲＬを前記計測サーバに送信する端末送信処理部とを具備することを特徴とする端末装置。
【請求項３】
前記第２のウェブコンテンツは、前記第１のウェブコンテンツの内容に対応する広告である請求項２に記載の端末装置。
【請求項４】
前記端末送信処理部は、
ｈｔｍｌによって記載される前記第１のウェブコンテンツにおいて、ｉｆｒａｍｅタグによって特定される前記第２のウェブコンテンツの前記第２のＵＲＬを取得し、
前記第１のウェブコンテンツのｂｏｄｙタグ内にｉｍｇタグを記載し、
前記ｉｍｇタグのｓｒｃ属性に前記計測サーバによって保持される透明画像のＵＲＬを設定し、
前記ｓｒｃ属性のＵＲＬパラメータに前記第２のＵＲＬを設定し、
前記計測サーバに前記透明画像を要求する請求項２又は３に記載の端末装置。
【請求項５】
前記第２のウェブコンテンツは、前記第１のウェブサーバから前記第１のウェブコンテンツが受信されるタイミングによって変化する請求項２、３又は４の何れか１項に記載の端末装置。
【請求項６】
前記端末送信処理部は、
前記タグを実行し、前記第１の端末表示処理部によって表示される前記第１のウェブコンテンツの前記第１のＵＲＬを取得し、前記第１のＵＲＬを前記計測サーバに送信する請求項２、３、４又は５の何れか１項に記載の端末装置。
【請求項７】
第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバであって、
前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信する第１のサーバ受信処理部と、
前記第１のサーバ受信処理部によって受信される前記第２のＵＲＬに対応する前記第２のウェブコンテンツを前記第２のウェブサーバから受信する第２のサーバ受信処理部とを具備することを特徴とする計測サーバ。
【請求項８】
前記第１のサーバ受信処理部は、
前記端末装置から送信される、透明画像の要求に含まれるＵＲＬパラメータを前記第２のＵＲＬとして取得する請求項７に記載の計測サーバ。
【請求項９】
第１のウェブサーバから受信する第１のＵＲＬに対応する第１のウェブコンテンツを表示するとともに、前記第１のウェブコンテンツに対応する第１の表示に含まれる第２の表示に対応する第２のウェブコンテンツの第２のＵＲＬを計測サーバへ送信する端末装置における通信方法であって、
前記第２のＵＲＬと、前記第２のＵＲＬを取得し、前記計測サーバに送信するために実行されるタグとが含まれる前記第１のウェブコンテンツを前記第１のウェブサーバから受信するステップと、
前記第２のＵＲＬに対応する前記第２のウェブコンテンツを前記第２のウェブサーバから受信するステップと、
受信される前記第１のウェブコンテンツを表示するステップと、
受信される前記第２のウェブコンテンツとを表示するステップと、
前記タグを実行し、表示される前記第２のウェブコンテンツの前記第２のＵＲＬを取得し、前記第２のＵＲＬを前記計測サーバに送信するステップとを具備することを特徴とする通信方法。
【請求項１０】
第１のウェブサーバから受信する第１のＵＲＬに対応する第１のウェブコンテンツを表示する端末装置から、前記第１のウェブコンテンツに対応する第１の表示に含まれる第２の表示に対応する第２のウェブコンテンツの第２のＵＲＬを受信し、前記第２のＵＲＬに対応する前記第２のウェブコンテンツを第２のウェブサーバから受信する計測サーバにおける通信方法であって、
前記端末装置が、前記第２のウェブコンテンツの前記第２のＵＲＬと、前記第２のＵＲＬを取得し、前記計測サーバに送信するために実行されるタグとを含む前記第１のウェブコンテンツを前記第１のウェブサーバから受信し、前記タグを実行することによって前記第２のＵＲＬを取得し、前記計測サーバに送信する場合、前記端末装置によって送信される前記第２のＵＲＬを受信するステップと、
受信される前記第２のＵＲＬに対応する前記第２のウェブコンテンツを前記第２のウェブサーバから受信するステップとを具備することを特徴とする通信方法。
【手続補正２】
【補正対象書類名】明細書
【補正対象項目名】０００８
【補正方法】変更
【補正の内容】
【０００８】
これらの広告は、同一のＵＲＬにアクセスした場合であっても、アクセスするタイミングによって掲載されている広告が異なる場合が多い。そのためユーザがウェブコンテンツを視聴した時点で、どのような広告が掲載されていたかを後ほど把握することは極めて困難である。
【手続補正３】
【補正対象書類名】明細書
【補正対象項目名】００１１
【補正方法】変更
【補正の内容】
【００１１】
本発明の特徴は、第１のウェブサーバ（ウェブサーバ３０）から受信する第１のＵＲＬに対応する第１のウェブコンテンツを表示する端末装置（端末装置１０）と、前記第１のウェブコンテンツに対応する第１の表示に含まれる第２の表示に対応する第２のウェブコンテンツの第２のＵＲＬを前記端末装置から受信し、前記第２のＵＲＬに対応する前記第２のウェブコンテンツを第２のウェブサーバ（ウェブサーバ４０）から受信する計測サーバ（計測サーバ２０）とを有する通信システムであって、前記端末装置は、前記第１のウェブコンテンツを前記第１のウェブサーバから受信する第１の端末受信処理部（端末受信処理部１１２）と、前記第２のＵＲＬに対応する前記第２のウェブコンテンツを前記第２のウェブサーバから受信する第２の端末受信処理部（端末受信処理部１１２）と、前記第１の端末受信処理部によって受信される前記第１のウェブコンテンツを表示する第１の端末表示処理部（端末表示処理部１１４）と前記第２の端末受信処理部によって受信される前記第２のウェブコンテンツを表示する第２の端末表示処理部（端末表示処理部１１４）と、前記第２のＵＲＬを前記計測サーバに送信する端末送信処理部（端末送信処理部１１６）と、を具備し、前記計測サーバは、前記端末装置の前記端末送信処理部によって送信される、前記第２のウェブコンテンツの前記第２のＵＲＬを受信する第１のサーバ受信処理部（第１のサーバ受信処理部２１２）と、前記第２のＵＲＬに対応する前記第２のウェブコンテンツを前記第２のウェブサーバから受信する第２のサーバ受信処理部（第２のサーバ受信処理部２１４）と、を具備し、前記第１のウェブコンテンツには、前記第２のＵＲＬと、前記第２のＵＲＬを取得させるとともに、取得した前記第２のＵＲＬを前記計測サーバに送信させる処理を前記端末送信処理部に行わせるタグとが含まれることを要旨とする。